(57)【要約】【課題】容易に備蓄タンクの運搬を行うことができて、且つ電動源を用いることなくバッテリー液を補充することができるバッテリー液の補充装置を提供する。【解決手段】バッテリー液の備蓄タンク３を横転可能に支持する支持枠２と、該支持枠２が支柱１３に昇降自在に設けられた移動台車１と、先端側に液送出停止器８１を有し後端側が備蓄タンク３に挿入される液補充パイプ４とにより補充装置を構成する。なお、支柱１３の上部に定滑車９を設けてワイヤ９１を垂設し、垂設されたワイヤ９１の一方の端部には備蓄タンク３の支持枠２を取付けるとともに、そのワイヤ９１の他方の端部にはウエート６の載置台５を取付けて、備蓄タンク３とウエート６とをバランスさせて相互に逆方向に昇降させる。【選択図】    図１
2004259482.tif 000002
【特許請求の範囲】
【請求項１】
バッテリー液の備蓄タンクを横転可能に支持する支持枠と、該支持枠が支柱に昇降自在に設けられた移動台車と、先端側に液送出停止器を有し後端側が備蓄タンクに挿入される液補充パイプとからなることを特徴とするバッテリー液の補充装置。
【請求項２】
支柱の上部に定滑車を設けてワイヤを垂設し、垂設されたワイヤの一方の端部には備蓄タンクの支持枠を取付けるとともに、そのワイヤの他方の端部にはウエートの載置台を取付けて、備蓄タンクとウエートとをバランスさせて相互に逆方向に昇降するようにしたことを特徴とする請求項１に記載のバッテリー液の補充装置。
【請求項３】
バッテリー液の備蓄タンクが支柱の上部に固定された移動台車と、移動台車に据え置かれて上方の前記備蓄タンクにハンドポンプ式でバッテリ−液を送出するバッテリー液の予備タンクと、先端側に液送出停止器を有し後端側が前記備蓄タンクの底部に接続された液補充パイプとからなることを特徴とするバッテリー液の補充装置。
【発明の詳細な説明】
【０００１】
【発明の属する技術分野】
本発明は、非常用電源装置内のバッテリーにバッテリー液（蒸留水）を補充するためのバッテリー液の補充装置に関するものである。
【０００２】
【従来の技術】
トンネルやインターチェンジなどの照明灯に送電する電気室には、停電に備えてバッテリーが内蔵された非常用電源装置が設置されており、不意の停電時にはこの非常用電源装置から送電が行われる。バッテリーとして鉛蓄電池が多く使用されているが、この種の蓄電池においては内部のバッテリー液が蒸発等により次第に減少してしまう。バッテリー液の液面が低下すると充電不良を招いたり焼損などの重大事故につながるため、水位を定期的に点検してバッテリー液を補充する必要がある。従来のバッテリー液の補充装置として、特開平９‐２１３３０４号公報にはバッテリー液備蓄タンクにパイプの吸引口を挿入して吸引した水をバッテリーに送出する電動ポンプ式のものが開示されている。
【０００３】
【特許文献１】特開平９‐２１３３０４号公報（図１）
【０００４】
しかしながら、上記したバッテリー液の補充装置においてはバッテリーが多数個であったり幾つかの個所に分けて配設されている場合には、重量な備蓄タンクを手で持ち上げて運搬せねばならず作業者に多大な負担を強いるものであった。また、電動式ポンプは乾電池を必要とし乾電池が消耗したときには作動せず、また、常時使用しないものであるために作動の安定性に欠けるという問題があった。
【０００５】
【発明が解決しようとする課題】
本発明は上記した従来の問題点を解決し、容易にバッテリー液の備蓄タンクの移動を行うことができて、且つ電動源を用いることなくバッテリー液の補充を行うことができるバッテリー液の補充装置を提供するためになされたものである。
【０００６】
【課題を解決するための手段】
上記の課題を解決するためになされた本発明のバッテリー液の補充装置は、バッテリー液の備蓄タンクを横転可能に支持する支持枠と、該支持枠が支柱に昇降自在に設けられた移動台車と、先端側に液送出停止器を有し後端側が備蓄タンクに挿入される液補充パイプとからなることを特徴とするものである。なお、支柱の上部に定滑車を設けてワイヤを垂設し、垂設されたワイヤの一方の端部には備蓄タンクの支持枠を取付けるとともに、そのワイヤの他方の端部にはウエートの載置台を取付けて、備蓄タンクとウエートとをバランスさせて相互に逆方向に昇降するようにすることができる。また、本発明のバッテリー液の補充装置は、バッテリー液の備蓄タンクが支柱の上部に固定された移動台車と、移動台車に据え置かれて上方の前記備蓄タンクにハンドポンプ式でバッテリ−液を送出するバッテリー液の予備タンクと、先端側に液送出停止器を有し後端側が前記備蓄タンクの底部に接続された液補充パイプとからなることを特徴とするものである。
【０００７】
【発明の実施の形態】
以下に図面を参照しつつ本発明の好ましい実施形態を説明する。
図１〜３は本発明に係るバッテリー液の補充装置を示す図であって、１は移動台車、２はバッテリー液の備蓄タンク３が取付けられる支持枠、４は液補充パイプである。移動台車１は底板１１の裏側にキャスター１２が固定されていて容易に移動可能である。底板１１から上方には形鋼などが長方形の枠形に形成された支柱１３が立設されていて、この支柱１３の上部には滑車９が配設されている。
【０００８】
滑車９にはワイヤ９１が左右に振り分けて垂設されており、ワイヤ９１の一方の端部には支持枠２が取付けられており、支柱１３の一方の側面から横方向に突設されている。ワイヤ９１のもう一方の端部にはウエート６の載置台５が取付けられていて、支持枠２とは反対側となる支柱１３の側面に突設されている。支柱１３には、図３に示すように断面凹形に形成したレール１５、１５ａが背中を合わせて２本平行に設けられている。レール１５には支持枠２の車輪２２が嵌め込まれ、レール１５ａには載置台５の車輪５２が嵌めこまれているので、支持枠２、載置台５は容易に昇降することができる。また、載置台５には予備の備蓄タンクなどがウエート６として載置され、支持枠２に保持された備蓄タンク３とバランスを取って相互に逆方向に昇降することができる。
【０００９】
支持枠２は、図４に示すように備蓄タンク３保持用の枠本体２１が、車輪２２が設けられた支持アーム２３にベアリング２４を介して軸着されたものであって、枠本体２１は支軸２４ａを中心に回動することができる。枠本体２１に備蓄タンク３を保持した時には脱落防止用のストッパー２５が枠本体２１の穴部２６に螺着される。支持アーム２２にはＬ字形またはＴ字形とした回動制止ロッド２７が上向きに立設されており、枠本体２１には、この枠本体２１の時計回りの回動を制止する突片２８と、半時計回りの回動を制止する突片２９とが突設されている。また、載置台５は、図５に示すように裏側に接地用の脚部５１を有し、上側の３方の端部には車輪５２を有するガイド部材５３が立設されている。
【００１０】
支持枠２と載置台５とを以上のように滑車９を介してワイヤ９１の両端に取付けたので、支持枠２が上昇するときには載置台５はこの動きに連動して逆の方向に降下する。そして、ウエート６としてバッテリー液が充填された予備タンクを用いれば、予備タンクは備蓄タンク３とほぼ同等な重量であるので、両者がバランスされて小さい力でもって人為的に備蓄タンク３を所定の位置にセットすることができる。
【００１１】
また、図１に示すように、液補充パイプ４の後端は備蓄タンク３に挿入されていて送り込まれたバッテリー液を先端側からバッテリー７に送出して補充する。液補充パイプ４の先端側にはバッテリー液の送出を停止するための液送出停止器８が装着されており、液送出を停止することができる。
【００１２】
備蓄タンク３が保持された枠本体２１は、図６に示すように当初は突片２８がＬ形などの回動制止ロッド２７に上側から当接して時計回りの回動を制止されており、備蓄タンク３は立っていて送水口３１が備蓄タンク３上部に位置している。バッテリー液の補充時には、半時計回りに枠本体２１を回動させることにより、突片２９が回動制止ロッド２７に下側から当接して回動が制止され、備蓄タンク３は横転されて送水口３１からバッテリー液を送水することが可能となる。即ち、図１に示すように、液補充パイプ４の後端側を送水口３１に隙間を残すことなく挿入したうえで備蓄タンク３を横転させれば、高所にある備蓄タンク３から液補充パイプ４を介して低所にあるバッテリー７にバッテリー液を補充することができる。液補充パイプ４の先端側には、レバー８１を有する液送出停止器８が備えられているので、このレバー８１を操作したときのみ締付けられた液補充パイプ４が弛緩されてバッテリー液を送水する。したがって、所定のラインまでバッテリー液を補充したときにはレバー８１を離せば送水を停止することができる。そして、バッテリー液を補充して備蓄タンク３が空になったになったときにはウエート６である予備タンクと交換すればスムーズにバッテリー液の補充作業を続行することができる。
【００１３】
第２の実施形態である本発明のバッテリー液の補充装置を図７に示す。この実施形態において、備蓄タンク３は支柱１３の上部にボルト１０１で締め付け固定されている。取り付け高さはボルト穴１０２の選択により調整可能である。移動台車１にはバッテリー液の予備タンク１０３が据え置かれており、ハンドポンプ１０４が途中に設けられたホース１０５により備蓄タンク３と予備タンク１０３は接続されている。そして、備蓄タンク３の底部には液補充パイプ４の後端側が接続され、このパイプ４の先端側は液送出停止器８を有している。この液送出停止器８を操作することにより備蓄タンク３からバッテリー７に液を補充することができる。そして、備蓄タンク３にバッテリー液が不足した場合にはハンドポンプ１０４を操作することにより上方の備蓄タンク３に液を送出して補充することができる。
【００１４】
【発明の効果】
以上に説明したように、本発明のバッテリー液の補充装置は、バッテリー液の備蓄タンクを横転可能に支持する支持枠と、該支持枠が支柱に昇降自在に設けられた移動台車と、液送出停止器を備えた液補充パイプとからなるものとしたので、備蓄タンクを容易に運搬することができ、また、支柱の上部に定滑車を設けてワイヤを垂設し、垂設されたワイヤの一方の端部には備蓄タンクの支持枠を取付けるとともに、そのワイヤの他方の端部にはウエートの載置台を取付けたので、備蓄タンクとウエートとをバランスさせて容易に昇降させることができる。また、本発明のバッテリー液の補充装置は、バッテリー液の備蓄タンクが支柱の上部に固定された移動台車と、移動台車に据え置かれて上方の前記備蓄タンクにハンドポンプ式でバッテリ−液を送出するバッテリー液の予備タンクと、先端側に液送出停止器を有し後端側が前記備蓄タンクの底部に接続された液補充パイプとからなるものとすることによっても、備蓄タンクを容易に運搬してバッテリーに液を補充することができる。
【図面の簡単な説明】
【図１】本発明に係るバッテリー液の補充装置を示す正面図である。
【図２】移動台車の側面図である。
【図３】移動台車の平面図である。
【図４】支持枠の詳細を示す正面図である。
【図５】載置台の詳細を示す正面図である。
【図６】備蓄タンクの横転状態を説明するための支持枠の正面図である。
【図７】上記と異なる実施形態のバッテリー液の補充装置の斜視図である
【符号の説明】
１  移動台車
２  支持枠
３  備蓄タンク
４  液補充パイプ
５  載置台
６  ウエート
８  液送出停止器
９  定滑車
１３  支柱
９１  ワイヤ
【図１】
2004259482.tif 000003
【図２】
2004259482.tif 000004
【図３】
2004259482.tif 000005
【図４】
2004259482.tif 000006
【図５】
2004259482.tif 000007
【図６】
2004259482.tif 000008
【図７】
2004259482.tif 000009